(57)【要約】【課題】  複数の回転リールを個別に箱状の筐体に収めたリールユニットにスライド機構を設けることで、抽選結果に応じて各リールユニットが遊技者に対して垂直に移動することが可能なスロットマシンを提供することを目的とする。【解決手段】  台座７０１〜７０３によって保持されているケースＣ１〜Ｃ３には、それぞれ回転リールＲ１〜Ｒ３と回転リールＲ１〜Ｒ３を回転駆動させるモータ（図示せず）が収められ、リールユニット２０１〜２０３を保持する保持部材８００に設けられているモータ９０１ａ〜９０３ａがそれぞれ駆動することで、送りネジ９０１ｂ〜９０３ｂの回転運動がナット９０１〜９０３へ伝達し、直線運動に変換されることで、滑合突起部７０１ａ〜７０３ａ，７０１ｂ〜７０３ｂとレール７０１ｃ〜７０３ｃ，７０１ｄ〜７０３ｄにより遊技者に対して前後に移動する。【選択図】  図４
2006345994.tif 000002
【特許請求の範囲】
【請求項１】
役を抽選する抽選手段と、複数種類の図柄を表示した回転可能な複数の回転リールと、前記抽選手段による抽選結果に基づき、遊技者へ所定の遊技価値を付与するスロットマシンにおいて、
前記複数の回転リールのそれぞれが
前記回転リールを駆動させるための駆動手段と、
前記駆動手段を制御するための制御手段とを備え、
前記回転リールと前記駆動手段、前記制御手段とが一体となって箱状の筐体に収められて、１つのリールユニットを構成し、
前記リールユニットはリールユニット移動機構を設け、
前記抽選手段による抽選結果に応じて、前記リールユニット移動機構により前記各リールユニットが前後に移動することを特徴とするスロットマシン。
【請求項２】
前記リールユニット移動機構は、
前記リールユニットを保持する保持部材と、
前記保持部材に設けられたスライド機構によって、遊技者へ向かって前後に移動することを特徴とする請求項１記載のスロットマシン。
【請求項３】
遊技状態によって、前記リールユニットの移動を制御する制御手段を有することを特徴とする請求項２記載のスロットマシン。
【請求項４】
前記リールユニットが個別に遊技者へ向かって前後に移動することで、移動した前記リールユニット内の回転リールから停止させることを遊技者へ告知することを特徴とする請求項１または２記載のスロットマシン。
【発明の詳細な説明】
【技術分野】
【０００１】
本発明は、スロットマシンに関し、特に、複数の回転リールが個別にリールユニットを構成し、該リールユニットが前後に移動可能であるスロットマシンに関する。
【背景技術】
【０００２】
従来のスロットマシンは、本体中央部に、外周面に所定間隔で複数種類の図柄が描かれた複数のリールが回転自在に横方向に並列配置し、可変表示部を構成している。遊技者は、本体の正面の表示窓を通して、各リールの図柄を見ることができる。
【０００３】
可変表示部は、複数種類の図柄を外周面に表示したリールと該リールの内周側に配置され、リールを駆動させるモータとを複数個、横方向に並列配置した構成としている。モータを駆動してリールを回転させるとともにスロットマシン内部で抽選を行い、その抽選結果に基づいてモータの駆動を制御し、リールを所定の位置に停止させるように構成されている（特許文献１参照）。
【０００４】
また、遊技者に提供する演出としては、スロットマシン本体に設けられている液晶表示装置によって表示された演出画像やランプの点灯、スピーカから多彩な音楽を流すといったものが主流となっており、遊技者は、このような演出から現在行われているゲームの抽選結果を判断している。
【特許文献１】特開平１１−１１４１３０号公報
【発明の開示】
【発明が解決しようとする課題】
【０００５】
しかしながら、上記のような演出に対して、回転リールは、抽選結果に基づいてモータの駆動制御により回転および停止を行うだけであって、実際の演出は行っていない。また、遊技者は演出画像や音、音楽からボーナスゲーム等に当選しているか判断するという行為に飽きてしまうといった問題がある。
【０００６】
本発明は係る問題に鑑みてなされたものであり、複数の回転リールを個別に箱状の筐体に収めたリールユニットにスライド機構を設けることで、抽選結果に応じて各リールユニットが遊技者に対して前後に移動することが可能なスロットマシンを提供することを目的とする。
【課題を解決するための手段】
【０００７】
上記課題を解決するために、請求項１記載のスロットマシンは、役を抽選する抽選手段と、複数種類の図柄を表示した回転可能な複数の回転リールと、抽選手段による抽選結果に基づき、遊技者へ所定の遊技価値を付与するスロットマシンにおいて、複数の回転リールのそれぞれが回転リールを駆動させるための駆動手段と、駆動手段を制御するための制御手段とを備え、回転リールと駆動手段、制御手段とが一体となって箱状の筐体に収められて、１つのリールユニットを構成し、リールユニットはリールユニット移動機構を設け、抽選手段による抽選結果に応じて、リールユニット移動機構により各リールユニットが前後に移動することを特徴とする。
【０００８】
請求項２記載の発明は、請求項１記載のスロットマシンであって、リールユニット移動機構は、リールユニットを保持する保持部材と、保持部材に設けられたスライド機構によって、遊技者へ向かって前後に移動することを特徴とする。
【０００９】
請求項３記載の発明は、請求項２記載のスロットマシンであって、遊技状態によって、リールユニットの移動を制御する制御手段を有することを特徴とする。
【００１０】
請求項４記載の発明は、請求項１または２記載のスロットマシンであって、リールユニットが個別に遊技者へ向かって前後に移動することで、移動したリールユニット内の回転リールから停止させることを遊技者へ告知することを特徴とする。
【発明の効果】
【００１１】
本発明によれば、複数のリールユニットがリールユニット移動機構を備えることで、各リールユニットが抽選結果に応じて遊技者側へ移動することで、遊技者へ新たな演出を提供することができる。
【発明を実施するための最良の形態】
【００１２】
次に、図面を参照して本実施形態について説明する。
図１は、本スロットマシン１００の外部構造を表した平面図、図２は本スロットマシン１００の内部構造を表した平面図、図３は本スロットマシン１００に設けられている制御システムの構成を表したブロック図である。
【００１３】
まず、図１を参照して本スロットマシン１００の外部構造を概説すると、本スロットマシン１００は、遊技者に面するフロントドア１０１と、フロントドア１０１が開閉可能に取り付けられた後述する筐体１０２とを備えて構成されている。
【００１４】
フロントドア１０１は、機械的に強固な硬質プラスチックで成型された上部パネル部１０３と中部パネル部１０４及び下部パネル部１０５とを備えて構成されている。
【００１５】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００１６】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００１７】
更に、中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３が設けられている。
【００１８】
更に、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠すると施錠機構（図示略）を解除し、フロントドア１０１を筐体１０２から開くことが可能となっている。
【００１９】
下部パネル部１０５には、本スロットマシン１００のゲーム内容を紹介等するための画像（図示略）が描かれており、更に遊技者の獲得した枚数の遊技メダルを払い出すための排出口１０５ａ及び受け皿１０５ｂと、スピーカが取り付けられた放音部１０５ｃが設けられている。
【００２０】
次に、図２を参照して、フロントドア１０１の裏面構造と、筐体１０２の内部構造を概説する。なお、図２はフロントドア１０１を開錠して筐体１０２から開いた状態を表している。
【００２１】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられている。
【００２２】
更に演出表示装置１０３ｄの裏面側には、電気回路基板で形成されたサブ制御基板３００が取り付けられている。
【００２３】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００２４】
演出表示装置１０３ｄとサブ制御基板３００の下方には、上述の透過窓ＷＤと中部パネル部１０４のパネル面とが形成された略長方形の枠体１０４ｄが取り付けられている。
【００２５】
枠体１０４ｄの下方には、メダル投入部ＭＤより投入される投入物を正規の遊技メダルか異物かを判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用の遊技メダルを排出口１０５ａへ案内するガイド部材Ｇ３が設けられ、更に排出口１０５ａの近傍に、放音部１０５ｃを構成するスピーカＳＷが取り付けられている。
【００２６】
上述の枠体１０４ｄとセレクト機構Ｇ０との間には、長尺状の電気回路基板で形成された中央表示基板４００が取り付けられており、当該中央表示基板４００の一端に、発光ダイオードで形成されたセグメント表示を行う設定表示素子ＣＴと、設定ボタンＣＳとが設けられている。
【００２７】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、更に設定表示素子ＣＴと設定ボタンＣＳとが搭載されて配線接続されている。
【００２８】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向するように取り付けられている回胴リール装置２００は、回胴リールＲ１，Ｒ２，Ｒ３とこれら回胴リールＲ１，Ｒ２，Ｒ３を回転駆動させる電動モータ（図示略）とがそれぞれケースに収められているリールユニット２０１〜２０３によって構成されている。
【００２９】
更に、主電源装置ＰＷＵの側面には電源装置基板（図示略）、リールユニット２０１，２０２，２０３の上端には回胴装置基板５００、リールユニット２０１，２０２，２０３の上方には主制御基板６００、筐体１０２の内壁の一端には外部集中端子基板（図示略）が取り付けられている。
【００３０】
すなわち、電源装置基板と、回胴装置基板５００、主制御基板６００、外部集中端子基板も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載された配線接続されたいわゆる電気回路基板として形成されている。
【００３１】
ただし、サブ制御基板３００と主制御基板７００は、それぞれ硬質プラスチックの収納ケース内に個別に収納されたユニット構造となっている。
【００３２】
次に、図３のブロック図を参照して制御システムの構成を説明する。
上述の主制御基板６００は、本スロットマシン１００の動作を統括管理するために設けられ、主制御基板６００を中心としてサブ制御基板３００、中央表示基板４００、回胴装置基板５００がそれぞれ所定の配線ケーブル（図示略）を介して配線接続されている。
【００３３】
ここで、主制御基板６００には、半導体メモリＲＯＭと、マイクロプロセッサＭＰＵが搭載されており、当該マイクロプロセッサＭＰＵが、半導体メモリＲＯＭに予め記憶されているシステムプログラムとスロットマシンゲーム用のプログラムを実行し、各基板３００，４００，５００，６００を制御することによって、本スロットマシン１００の動作状況とゲームの進行を統括管理している。
【００３４】
すなわち、遊技者がスタートレバーＳＴとストップボタンＳＰ１，ＳＰ２，ＳＰ３等を操作してゲームを行い、スロットマシンゲーム用のプログラムで予め決められている複数種類の役の何れかを取得すると、マイクロプロセッサＭＰＵは、その遊技者の取得した役に対応した制御モードでゲームの進行を制御する。別言すれば、マイクロプロセッサＭＰＵは、遊技者のゲーム操作に応じてスロットマシンゲーム用のプログラムを実行することによって、遊技の種類を設定し且つ進行すべき遊技の状態を制御する。
【００３５】
更に、サブ制御基板３００には、演出用スピーカＳＲ，ＳＬ，ＳＷと演出用ランプ１０３ａ，１０４ａ，１０４ｂと演出表示装置１０３ｄがそれぞれ所定の配線ケーブル（図示略）を介して配線接続されており、サブ制御基板３００に設けられている電気回路が、主制御基板６００からの指示に従ってこれら演出用スピーカＳＲ，ＳＬ，ＳＷと演出用ランプ１０３ａ，１０４ａ，１０４ｂと演出表示装置１０３ｄを駆動することにより、遊技者の視覚や聴覚に訴える演出を行うようになっている。さらに、後述するリールユニット２０１，２０２，２０３に設けられているモータ９０１ａ，９０２ａ，９０３ａもそれぞれ所定の配線ケーブルを介して配線接続されており、主制御基板６００からの指示に従って、サブ制御基板３００がモータ９０１ａ，９０２ａ，９０３ａを駆動させる。
【００３６】
回胴装置基板５００には、回胴リール装置２００が接続されており、主制御基板６００からの指令に従って電動モータへの駆動電力と駆動タイミングを制御することにより、回胴リールＲ１，Ｒ２，Ｒ３の回転と制動及び停止の制御を行う。
【００３７】
中央表示基板４００には、上述の設定表示素子ＣＴと設定ボタンＣＳが接続され、更にセレクト機構Ｇ０と、ベットボタンＢ１，Ｂ２，Ｂ３、スタートレバーＳＴ、ストップボタンＳＰ１，ＳＰ２，ＳＰ３が所定の配線ケーブル（図示略）を介して配線接続されている。
【００３８】
そして、中央表示基板４００は、ベットボタンＢ１，Ｂ２，Ｂ３とスタートレバーＳＴとストップボタンＳＰ１，ＳＰ２，ＳＰ３がそれぞれオン又はオフ操作されたことを示す操作信号（符号略）を主制御基板６００中のマイクロプロセッサＭＰＵに転送し、ゲームの進行を制御させる。
【００３９】
また、セレクト機構Ｇ０には、メダル投入部ＭＤから投入された投入物を遊技メダルか異物かを検知する光学センサ又は機械センサ若しくは磁気センサが設けられており、これらのセンサから出力される投入物検出信号（符号略）を中央表示基板４００が主制御基板６００中のマイクロプロセッサＭＰＵへ転送する。
【００４０】
そして、マイクロプロセッサＭＰＵが遊技メダルの投入されたことを示す投入物検出信号が入力されると、メダルの投入枚数を集計する。一方、異物の投入されたことを示す投入物検出信号を入力すると異常が発生したと判断し、上述のサブ制御基板３００に指令して、演出用スピーカＳＲ，ＳＬ，ＳＷに警報音を発生させたり、演出用ランプ１０３ａ，１０４ａ，１０４ｂにて警報表示を行わせたりする。
【００４１】
また、設定ボタンＣＳは、事業者や管理者が出玉率を設定変更するために設けられており、設定表示素子ＣＴは、１から６までの何れかの数字をセグメント表示することにより、設定ボタンＣＳによって設定変更された出玉率を段階表示する。
【００４２】
すなわち、設定ボタンＣＳがオン操作されると、中央表示基板４００は、そのオン操作される度に設定信号（符号略）を主制御基板６００中のマイクロプロセッサＭＰＵへ転送し、マイクロプロセッサＭＰＵは設定信号を入力する毎に、予め６段階に決められている出玉率を順繰りに変化させ、更に変化させた出玉率に相当する数字を示す設定表示信号（符号略）を中央表示基板４００へ返送する。そして、中央表示基板４００が設定表示信号に基づいて設定表示素子ＣＴに数字をセグメント表示させることにより、事業者や管理者に設定変更された出玉率の情報を知らせる。
【００４３】
次に、本発明の実施形態におけるリールユニットについて説明する。
図４は、本実施形態におけるリールユニットの構成を示した図である。図４（ａ）は、リールユニットの正面図であり、図４（ｂ）は、リールユニットの側面図である。
図４（ａ）に示すように、回胴リール装置２００は、リールユニット２０１〜２０３で構成されている。リールユニット２０１は、回転リールＲ１と回転リールＲ１を駆動させるためのモータ（図示せず）がケースＣ１に収められ、ケースＣ１を保持するための台座７０１によって構成されている。同様にリールユニット２０２は、回転リールＲ２と回転リールＲ２を駆動させるためのモータとがＣ２に収められ、台座７０２によって保持され、リールユニット２０３は、回転リールＲ３と回転リールＲ３を駆動させるためのモータとはＣ３に収められ、台座７０３によって保持されている。
【００４４】
リールユニット２０１〜２０３は、保持部材８００によって保持され、保持部材８００には、各リールユニット２０１〜２０３に対応するレール７０１ｃ〜７０３ｃ，７０１ｄ〜７０３ｄとが設置されている。レール７０１ｃ〜７０３ｃ，７０１ｄ〜７０３ｄは、リールユニット２０１〜２０３の奥行きよりも長く構成されている。さらに、図４（ｂ）に示すように送りネジ９０１ｂ〜９０３ｂが接続しているモータ９０１ａ〜９０３ａが設けられている。
【００４５】
台座７０１の下部には、滑合突起部７０１ａ，７０１ｂ及びナット９０１が設けられている。滑合突起部７０１ａ，７０１ｂは、台座７０１と同様の奥行きの長さに形成されており、滑合突起部７０１ａ，７０１ｂは、保持部材８００に設けられているレール７０１ｃ，７０１ｄに滑合している。
【００４６】
さらに、図４（ｂ）に示すように、リールユニット２０１〜２０３の後方に設けられているモータ９０１ａ〜９０３ａに接続している送りネジ９０１ｂ〜９０３ｂは、台座７０１〜７０３の下部に設けられているナット９０１〜９０３に接続している。
【００４７】
モータ９０１ａ〜９０３ａは、所定の配線ケーブル（図示略）によってサブ制御基板３００に接続されている。サブ制御基板３００から送出される信号によって各モータ９０１ａ〜９０３ａが駆動し、接続されている送りネジ９０１ｂ〜９０３ｂが回転する。送りネジ９０１ｂ〜９０３ｂの回転運動がナット９０１〜９０３へ伝達し、直線運動に変換されることにより、リールユニット２０１〜２０３が遊技者に対して垂直に移動する。
【００４８】
次に、図５を参照して、リールユニットの動作について説明する。
図５は、リールユニット２０１〜２０３を上から見た図である。まず、図５（ａ）では、リールユニット２０１〜２０３が位置Ａにあることを示している。位置Ａを初期位置として、リールユニット２０１〜２０３が位置Ｂ，Ｃへと遊技者側へ移動する。図５（ｂ）では、リールユニット２０１が位置Ａ、リールユニット２０２が位置Ｂ、リールユニット２０３が位置Ｃにあることを示す。この時、サブ制御基板３００からモータ９０２ａ，９０３ａへ駆動信号を送出し、リールユニット２０２，２０３が所定の位置まで移動するようにモータ９０２ａ，９０３ａを駆動させる。
【００４９】
図５（ｂ）に示すように、リールユニット２０１〜２０３が位置Ｂ，Ｃへと移動した場合は、遊技者に対してストップボタンＳＰ１〜ＳＰ３の押下する順番を報知するようにしてもよい。例えば、アシスト・タイム（ＡＴ）といった特別遊技状態の時にリールユニット２０１〜２０３の位置によって回転リールＲ１〜Ｒ３に対応するストップボタンＳＰ１〜ＳＰ３の押し順を報知することができる。
【００５０】
図５（ｂ）に示すリールユニット２０１〜２０３の位置によれば、回転リールＲ３→回転リールＲ２→回転リールＲ１の順番に各回転リールに対応したストップボタンＳＰ１〜ＳＰ３を押下すればよい。ストップボタンＳＰ１〜ＳＰ３を押下して回転リールＲ１〜Ｒ３が停止したら、リールユニット２０２，２０３が位置Ａまで後退する。
【００５１】
次に、図５（ｃ）に示すリールユニット２０１〜２０３の位置によれば、図５（ｂ）に示すリールユニット２０１〜２０３の位置でリールユニット２０３に対応するストップボタンＳＰ３を押下することで回転リールＲ３の回転が停止すると共に、リールユニット２０３が位置Ａまで後退する。
【００５２】
また、上記に示すように、リールユニット２０１〜２０３の移動は、アシスト・タイムに限らず、演出としてリールユニット２０１〜２０３を前後に移動させることで、遊技者に新たな演出を提供することができる。
【００５３】
以上の説明から、本実施形態によれば、リールユニット２０１〜２０３がそれぞれ、抽選結果に応じて、遊技者に対して前後に移動することで、遊技者にストップボタン
ＳＰ１〜ＳＰ３の操作の順番を報知したり、遊技者へ期待感を持たせたりすることができる。
【図面の簡単な説明】
【００５４】
【図１】本発明の実施形態におけるスロットマシンの外観構造を概略的に表した平面図である。
【図２】図１に示したスロットマシンの内部構造を概略的に表した平面図である。
【図３】図１及び図２に示したスロットマシンに設けられている制御システムの構成を表したブロック図である。
【図４】本発明の実施形態におけるリールユニットの構成を示した図である。
【図５】図４に示したリールユニットの動作を示した図である。
【符号の説明】
【００５５】
２０１〜２０３    リールユニット
７０１〜７０３    台座
７０１ａ〜７０３ａ、７０１ｂ〜７０３ｂ    滑合突起部
７０１ｃ〜７０３ｃ、７０１ｄ〜７０１ｄ    レール
８００    保持部材
９０１〜９０３    ナット
モータ    ９０１ａ〜９０３ａ
送りネジ    ９０１ｂ〜９０３ｂ
【図１】
2006345994.tif 000003
【図２】
2006345994.tif 000004
【図３】
2006345994.tif 000005
【図４】
2006345994.tif 000006
【図５】
2006345994.tif 000007